(57)【特許請求の範囲】
【請求項１】
遊技の進行にともなって所定の信号を送受信する制御基板と、この制御基板を収容するベース部材と、前記制御基板に搭載されたコネクタを覆うコネクタカバーと、前記ベース部材と前記コネクタカバーとを脱離不能に係合する係合部と、を備える基板封印装置が設置された遊技機であって、
前記係合部は、
前記コネクタカバーに形成されたカバー側係合部と、
前記ベース部材に形成され、前記カバー側係合部に係合するベース側係合部と、
このベース側係合部と前記カバー側係合部が係合した状態でこれらベース側係合部及びカバー側係合部の周囲を囲むように設けられた防護壁とを備えた
ことを特徴とする遊技機。
【請求項２】
前記ベース側係合部は、前記カバー側係合部に向かって立設された鉤状の係合爪部を備え、
前記カバー側係合部は、前記係合爪部が進入可能な開口を底部に有する中空の蓋状部を備え、
この蓋状部の内面に、前記係合爪部が係合する凸部を有し、
前記防護壁は、
前記係合爪部が前記蓋状部の前記凸部に係合した状態で前記係合爪部及び前記蓋状部の周囲を囲むように壁状に形成された
ことを特徴とする請求項１記載の遊技機。
【請求項３】
前記コネクタカバーは、当該コネクタカバーの本体と前記カバー側係合部との間に、所定の工具を用いて切断可能な切断用凸部を有し、
前記係合爪部が前記蓋状部の前記凸部に係合した状態で、前記切断用凸部を切断して、前記コネクタカバーの本体と前記カバー側係合部とを分割し、前記防護壁の内部で前記カバー側係合部を移動させて前記係合爪部と前記凸部との係合を解除することにより、前記カバー側係合部を脱離可能とする
ことを特徴とする請求項２記載の遊技機。
【請求項４】
前記蓋状部の前記凸部は、当該蓋状部を構成する複数の板状部のうち、対向する二枚の板状部の内面にそれぞれ形成され、
前記係合爪部の鉤状部は、当該係合爪部に前記蓋状部を覆い被せたときに、前記凸部に対向する位置に形成され、
前記板状部の内面から前記凸部が凸設した方向に対して直交する方向であって、前記係合爪部の前記鉤状部が係合する前記凸部の係合面に対して平行な方向に、前記防護壁の内部で前記カバー側係合部を移動させる
ことを特徴とする請求項３記載の遊技機。
【請求項５】
前記ベース側係合部又は前記カバー側係合部は、前記防護壁により囲まれた空間のうち前記カバー側係合部が存在しない部分を閉塞するフランジを有し、
このフランジの切除により、当該フランジによる閉塞から開放された部分を前記カバー側係合部の移動空間として確保する
ことを特徴とする請求項１〜４のいずれかに記載の遊技機。
【請求項６】
前記カバー側係合部は、前記防護壁により囲まれた空間の全体を占める大きさに形成された
ことを特徴とする請求項１〜４のいずれかに記載の遊技機。
【請求項７】
前記制御基板は、遊技者の操作する操作部からの信号が入力される所定の中継基板であり、
前記ベース部材は、前記操作部を有する扉体の裏面に配置された裏面パネルである
ことを特徴とする請求項１〜６のいずれかに記載の遊技機。
【発明の詳細な説明】
【技術分野】
【０００１】
本発明は、所定の基板を開閉不能に封止する基板封印装置を備える遊技機に関し、特に、遊技者の操作する操作部からの信号が入力される中継基板を開閉不能に封止する基板封印装置を備える遊技機に関する。
【背景技術】
【０００２】
遊技者の操作する操作部からの信号が入力される所定の中継基板を備える遊技機が知られている。例えば、スロットマシンは、リールの回転を始動させるスタートレバーやリールの回転を停止させる停止ボタン等の操作具が配置される操作部を備え、これらの操作部には、遊技者の操作を検出するスイッチ等が設けられている。
そして、これらのスイッチにおいて検出された入力信号が、スイッチに接続された接続ケーブルを介して、所定の中継基板に入力され、さらに中継基板から、接続ケーブルを介して、遊技機を制御する主基板に入力されることで、主基板に遊技者の入力操作が伝達され、一連の遊技が進行するようになっている。
【０００３】
近年、上記の中継基板を標的とする不正行為が増えている。例えば、スロットマシンでは、遊技者の操作に伴う所定の信号を擬似的に発生させる、いわゆる「打ち込み機」と称する不正部品が、コネクタを介して取り付けられる場合がある。
「打ち込み機」は、これらの遊技者の操作に係る入力信号を擬似的に発生させる不正部品で、中継基板に設けられたコネクタから正規なコネクタを脱抜し、替わりに「打ち込み機」からの擬似信号を入力するコネクタを装着し、この擬似信号を主基板に入力することで、一連の遊技を自動で進行させるものである。
その結果、例えば、ビッグボーナスの当せんを検出したときに、「打ち込み機」の作動を停止し、このままの状態で遊技場を開店させ、遊技者に当該遊技機を提供する、いわゆる「モーニングサービス」と称するサービスを行なう遊技場も存在する。このような行為は、遊技者の射幸心を悪戯に仰ぎ、遊技資金の過剰な投資を招く一因にもなっている。
【０００４】
そこで、「打ち込み機」等の不正部品の接続による不正行為を防止するための技術が提案されている。
例えば、基板が収納される基板ケースと、基板に搭載されたコネクタを覆うコネクタカバーと、後述する結束バンドとを備え、基板ケースには、中央に貫通孔が穿設された第一凸部（第２締結部）が形成され、コネクタカバーには、中央に貫通孔が穿設された第二凸部（第１締結部）と、基板に搭載された固定側コネクタ及びこの固定側コネクタに嵌合された着脱側コネクタとを覆う離脱阻止部が形成され、基板ケースにコネクタカバーを装着すると、第一凸部の貫通孔と第二凸部の貫通孔が連通し、ここに結束バンドを挿通し、締結することで、基板ケースとコネクタカバーとを抜脱不能とするものがある（例えば、特許文献１参照。）。
このようなコネクタカバーによれば、結束バンドを切断してコネクタカバーを取り外したとしても、全く同じ結束バンドを用いなければ元通りに戻すことができないため、「打ち込み機」等の不正部品の接続による不正行為を効果的に防止できるとしている。
【先行技術文献】
【特許文献】
【０００５】
【特許文献１】特開２０１０−１４８９２６号公報
【発明の概要】
【発明が解決しようとする課題】
【０００６】
しかしながら、上述した特許文献１に記載の技術においては、次のような問題があった。
例えば、コネクタカバーには鉤状の係合部が形成されており、一方、基板ケースには、その係合部が係合する凹状の被係合部が形成されている。そして、コネクタカバーを基板ケースに装着するときに、コネクタカバーの係合部を基板ケースの被係合部に係合することで、コネクタカバーが開閉不能に（嵌め殺し状態で）基板ケースに装着されるようになっている。
ところが、それら係合部と被係合部との間隙に、例えば、マイナスドライバなどの不正工具を挿入して押し広げ、係合部による被係合部への係合を解除すると、基板ケースからコネクタカバーを取り外すことが可能となっていた。このため、このような従来のコネクタカバーでは、不正行為を完全に防止することができなかった。
【０００７】
また、結束バンドは、ニッパーなどの剪断工具で簡単に切断除去できるため、不正者の侵入をいとも簡単に許す結果となっていた。
さらに、結束バンドは、切断後、その切断面を接着剤などにより接着することで、偽装的に締結状態に復元できるので、不正行為の痕跡確認が困難となるという問題があった。
【０００８】
本発明は、上記の事情にかんがみなされたものであり、不正工具の挿入を確実に防止して、コネクタカバーの不正な取り外しや不正部品の接続を困難なものとし、かつ、不正行為が行われた場合には、その痕跡を確認可能とする遊技機の提供を目的とする。
【課題を解決するための手段】
【０００９】
この目的を達成するため、本発明の遊技機は、遊技の進行にともなって所定の信号を送受信する制御基板と、この制御基板を収容するベース部材と、制御基板に搭載されたコネクタを覆うコネクタカバーと、ベース部材とコネクタカバーとを脱離不能に係合する係合部と、を備える基板封印装置が設置された遊技機であって、係合部は、コネクタカバーに形成されたカバー側係合部と、ベース部材に形成され、カバー側係合部に係合するべース側係合部と、このベース側係合部とカバー側係合部が係合した状態でこれらベース側係合部及びカバー側係合部の周囲を囲むように設けられた防護壁とを備えた構成としてある。
【発明の効果】
【００１０】
本発明の遊技機によれば、ベース部材とコネクタカバーとを係合する係合部の周囲を囲む位置に防護壁が設けられているため、その係合部に対する不正工具の挿入を、その防護壁により阻止できる。よって、コネクタカバーの不正な取り外しや不正部品の接続を困難なものとすることができる。
また、コネクタカバーにおける本体部分とカバー側係合部との間に切断用凸部を設け、これをニッパーなどの剪断工具を用いて切断することで、それら本体部分とカバー側係合部とを分割して、当該コネクタカバーを取り外す構成としたので、その切断用凸部を不正に切断する行為が行われた場合に、その切断された状態を不正行為の痕跡として残すことができ、その痕跡を確実に確認できる。
【図面の簡単な説明】
【００１１】
【図１】本発明の一実施形態に係るスロットマシンの外観を示す概略斜視図である。
【図２】本発明の一実施形態に係るスロットマシンの内部構成を示す概略斜視図である。
【図３】本発明の一実施形態に係る裏面パネル、中継基板、基板カバー、コネクタカバーの各構成を示す分解斜視図である。
【図４】本発明の一実施形態に係る裏面パネルの一部（基板収容部）と、この基板収容部に収容された中継基板及び基板カバーと、これら中継基板等に取り付け可能なコネクタカバーの構成を示す外観斜視図である。
【図５】本発明の一実施形態に係る裏面パネルの構成を示す図であって、（ａ）は、裏面パネルの構成を示す正面図、（ｂ）は、（ａ）に示された裏面パネルのＡ−Ａ部分の断面図、（ｃ）は、（ａ）に示された裏面パネルのＢ−Ｂ部分の断面図である。
【図６】本発明の一実施形態に係るコネクタカバーの構成を示す図であって、（ａ）は、コネクタカバーの構成を示す正面図、（ｂ）は、（ａ）に示されたコネクタカバーのＣ−Ｃ部分の断面図、（ｃ）は、（ａ）に示されたコネクタカバーのＤ−Ｄ部分の断面図、（ｄ）は、（ａ）に示されたコネクタカバーのＥ−Ｅ部分の断面図である。
【図７】本発明の一実施形態に係るコネクタカバーを取り外す手順を示す外観斜視図であって、（ａ）は、コネクタカバーが裏面パネルに取り付けられた状態を示す図、（ｂ）は、コネクタカバーの切断用凸部が切断された状態を示す図、（ｃ）は、コネクタカバーの本体を上方へ回動した状態を示す図である。
【図８】本発明の一実施形態に係るコネクタカバーであって、（ａ）は、フランジを設けたコネクタカバーの構成を示す外観斜視図、（ｂ）は、（ａ）に示されたコネクタカバーが裏面パネル等に取り付けられた状態を示す外観斜視図である。
【図９】本発明の一実施形態に係るコネクタカバーであって、（ａ）は、防護壁により囲まれた空間の全体を占有する大きさで形成されたカバー側係合部を有するコネクタカバーの構成を示す外観斜視図、（ｂ）は、（ａ）に示されたコネクタカバーが裏面パネル等に取り付けられた状態を示す外観斜視図である。
【発明を実施するための形態】
【００１２】
以下、本発明の実施形態について説明する。
遊技機には、パチンコ機、スロットマシン、アレンジボール、雀球など様々な機類があるが、本実施形態では、メダルを遊技媒体とするスロットマシンに本発明に係る基板封印装置を適用した場合について、図面を参照しつつ説明する。
【００１３】
［スロットマシン本体］
図１は、本発明の一実施形態に係るスロットマシンの外観を示す概略斜視図、図２は、本発明の一実施形態に係るスロットマシンの内部構成を示す概略斜視図である。
これらの図に示すように、本実施形態のスロットマシン１００は、複数のリール１２１ａ，１２１ｂ，１２１ｃを回転させることによって遊技媒体であるメダルを獲得することができる回胴式遊技機を構成している。
【００１４】
スロットマシン１００は、内部がマイクロコンピュータ等で構成された制御部１３０及び必要な機械、装置等を収納する正面側が開口した筐体１００ｂと、筐体１００ｂの正面側を開閉可能に覆う前扉１００ａとで構成されている。
【００１５】
前扉１００ａは、図２に示すように、スロットマシン１００の筐体１００ｂにヒンジ等を介して開閉可能に取り付けられる扉体で、この前扉１００ａに遊技操作に係る操作部１４０が設けられて、スロットマシン１００の正面部を構成している。
【００１６】
操作部１４０には、メダルが投入されるメダル投入口１４１と、各リール１２１ａ，１２１ｂ，１２１ｃの回転を始動させるスタートレバー１４２と、回転している各リール１２１ａ，１２１ｂ，１２１ｃを停止させる３つの停止ボタン１４３ａ，１４３ｂ，１４３ｃが設けられている。
【００１７】
前扉１００ａには、各リール１２１ａ，１２１ｂ，１２１ｃに表示された図柄を視認可能とする表示窓１５０が、例えば操作部１４０の上側に設けられる。また、前扉１００ａには、効果音等が出力されるスピーカ１６０が、例えば操作部１４０の下側に設けられる。
【００１８】
筐体１００ｂの中央には、リール１２１ａ，１２１ｂ，１２１ｃと、各リール１２１ａ，１２１ｂ，１２１ｃを回転させる図示しないモータ及び回転位置を検出するセンサ等を備えるドラムユニット１２０が設けられる。
【００１９】
また、筐体１００ｂの下部には、メダルを貯留・払出するメダル払出装置１８０が設けられる。メダル払出装置１８０には、メダルを貯留するホッパー１８１が設けられ、メダル投入口１４１より投入されたメダルは、メダルセレクタ１８２により検出されるとともに、ホッパー１８１に誘導されるようになっている。
【００２０】
スロットマシン１００では、遊技者によりメダル投入口１４１からメダルが投入され、スタートレバー１４２が操作されると、スタート信号が制御部１３０に入力される。スタート信号が入力されると、制御部１３０では、所定の遊技プログラムに従いドラムユニット１２０を駆動して、各リール１２１ａ，１２１ｂ，１２１ｃを回転させる制御を行う。
【００２１】
また、制御部１３０では、例えばボーナスや小役等を抽選する内部抽選が行われ、各停止ボタン１４３ａ，１４３ｂ，１４３ｃが押下操作されたタイミングに基づき、抽選結果に応じた図柄の組合せで停止するよう、回転している各リール１２１ａ，１２１ｂ，１２１ｃの停止制御を行う。
さらに、制御部１３０は、各リール１２１ａ，１２１ｂ，１２１ｃを所定の図柄の組合せで停止させると、メダル払出装置１８０で所定数のメダルを払い出す制御を行い、メダルをメダル払出口１８３から払い出す。
【００２２】
このような構成を有するスロットマシン１００においては、スタートレバー１４２等の操作部１４０の操作にともなって、スタート信号等の所定の信号が、中継基板２を中継して、制御部１３０に送られる。
その中継基板２の構成について、次に説明する。
【００２３】
［中継基板］
図２に示すように、中継基板２は、前扉１００ａの裏面側であって、操作部１４０に対応する位置に配置されている。中継基板２は、遊技者の操作する操作部１４０からの信号が入力される基板であり、具体的には、スタートレバー１４２や停止ボタン１４３ａ，１４３ｂ，１４３ｃの操作を検出するスイッチ、メダルセレクタ１８２に備えるメダル検出スイッチ等からの信号が入力される。
そして、中継基板２に入力された信号は、コネクタ２ｃ（図３参照）と接続される図示しない接続ケーブルを介して、スロットマシン１００を制御する制御部１３０に入力されることで、制御部１３０に遊技者の入力操作が伝達され、一連の遊技が進行するようになっている。
なお、中継基板２と制御部１３０は、遊技の進行にともなって所定の信号を送受信する基板であるため、「制御基板」としての機能を有している。
【００２４】
このような中継基板２は、不正行為の標的となりうる基板であり、例えば、「打ち込み機」と称する不正部品が、コネクタ２ｃを介して取り付けられる場合がある。
そこで、本実施形態のスロットマシン１００では、中継基板２を基板封印装置１に収容するとともに、基板封印装置１を開閉不能に封止することにより、中継基板２に対する不正行為を防止している。
以下、本実施形態の基板封印装置１の構成について、図３〜図９を参照しつつ説明する。
【００２５】
［基板封印装置］
基板封印装置１は、図３に示すように、中継基板２の半田面２ｂ側を覆う裏面パネル３と、中継基板２の部品実装面２ａ側（コネクタ２ｃ以外の部分）を覆う基板カバー４と、そのコネクタ２ｃを覆うコネクタカバー５とを備えている。
裏面パネル３は、表示窓１５０を囲む枠体（窓枠）として形成され、その下部側に中継基板２を収容する基板収容部３ａが設けてある。基板収容部３ａは、中継基板２を収容可能に凹設され、中継基板２は基板カバー４が併合された状態でこの基板収容部３ａ内に収容され、所定のネジ６により固定される（図３、図４参照）。なお、裏面パネル３は、制御基板（中継基板２）を収容することから、「ベース部材」としての機能を有している。
基板カバー４は、中継基板２の部品実装面２ａを外部から視認可能かつ容易に破壊できない無色透明な合成樹脂（例えば、ポリカーボネート）で形成され、所定の接続ケーブルを接続するためのコネクタ孔４ａが開口されている。
コネクタカバー５は、基板カバー４と同様、無色透明な合成樹脂で形成され、中継基板２及び基板カバー４が裏面パネル３の基板収容部３ａにネジ止めされた状態で、中継基板２のコネクタ２ｃを覆う位置に取り付けられる。
【００２６】
このコネクタカバー５は、基板カバー４と裏面パネル３の両方に係合する。本実施形態においては、コネクタカバー５と基板カバー４とを係合する構成を第一係合部とし、コネクタカバー５と裏面パネル３とを係合する構成を第二係合部とする。
第一係合部は、コネクタカバー５の外縁（上辺部）から突設された係止凸部５ａと、基板カバー４に穿設された被係止孔４ｂからなり、係止凸部５ａを被係止孔４ｂに挿入することで、係止凸部５ａのクランク状の段差が被係止孔４ｂの周面の一部及びその裏側に係合する。
【００２７】
第二係合部は、裏面パネル３の基板収容部３ａの外縁（下辺部）から突設されたパネル側係合部３０と、コネクタカバー５の本体５ｂの外縁（下辺部）から突設されたカバー側係合部５０からなる。
パネル側係合部３０は、図４、図５（ａ）〜（ｃ）に示すように、基板収容部３ａの下辺部から下方向外方に延設された底板部３１と、この底板部３１に立設され、先端部に鉤状部３３（３３ａ、３３ｂ）が形成された係合爪部３２（３２ａ、３２ｂ）とを備えており、底板部３１には、この周縁に沿って壁状に立設された防護壁６０が形成されている。
一方、カバー側係合部５０は、図４、図６（ａ）〜（ｄ）に示すように、コネクタカバー５の本体５ｂの下辺部から下方向外方に突設された角丸直方体状の部位であり、上板部５１と側板部５２と側板部５３と前板部５４との四枚の板状部により、底部に開口を有する中空の蓋状部を構成している。側板部５２と側板部５３のそれぞれの表面中央部から上部に亘る部分には開口部５５（５５ａ、５５ｂ）が穿設されており、それら開口部５５の下辺部には、側板部５２又は側板部５３の内面側に向かって突設された凸部５６（５６ａ、５６ｂ）が設けられている。すなわち、凸部５６は、四枚の板状部のうち、対向する二枚の板状部（側板部５２と側板部５３）の内面にそれぞれ形成された突設部であり、パネル側係合部３０の係合爪部３２が係合するようになっている。この係合については、後述する。
【００２８】
このような構成を有したコネクタカバー５を基板カバー４及び裏面パネル３に取り付ける手順は、次の通りである。なお、裏面パネル３の基板収容部３ａには、中継基板２及び基板カバー４が収容され、ネジ６で螺着されているものとする。
まず、コネクタカバー５の係止凸部５ａを基板カバー４の被係止孔４ｂに挿入し、コネクタカバー５の本体５ｂの上辺部を基板カバー４の表面に当接させる。
次いで、コネクタカバー５のカバー側係合部５０が裏面パネル３のパネル側係合部３０に近づくように、コネクタカバー５の本体５ｂの上辺部を支点として、当該コネクタカバー５を回動させる。これにより、コネクタカバー５のカバー側係合部５０と裏面パネル３のパネル側係合部３０とが対向する。
【００２９】
続いて、パネル側係合部３０の係合爪部３２に対してカバー側係合部５０を上方から被せると、係合爪部３２の先端部がカバー側係合部５０の底部開口に進入する。そして、そのカバー側係合部５０を、被せた方向にさらに押し込むと、係合爪部３２の先端部がカバー側係合部５０の中空内部に進入し、係合爪部３２の鉤状部３３がカバー側係合部５０の凸部５６に達したところで、その鉤状部３３が凸部５６に掛かって係合する。
このような手順により、コネクタカバー５は、本体５ｂの上辺部にて基板カバー４と係合し、下辺部にて裏面パネル３と係合する。つまり、コネクタカバー５は、本体５ｂにおける対向する二辺（上辺部及び下辺部）において基板カバー４及び裏面パネル３にそれぞれ係合することから、基板カバー４及び裏面パネル３に対して脱離不能に係合することができる。
【００３０】
このようにコネクタカバー５を基板カバー４及び裏面パネル３に取り付けた状態においては、コネクタカバー５が脱離不能な状態すなわち嵌め殺し状態となっているため、人が手でコネクタカバー５を外そうとしても外れることはない。ただし、例えば、マイナスドライバなどの工具を用意し、カバー側係合部５０の側板部５２の底辺にその工具を引っ掛けてその側板部５２を外側へ引っ張って広げることで、係合爪部３２による凸部５６への係合が解除されて、コネクタカバー５を取り外すといった不正行為が考えられる。
そこで、本実施形態のパネル側係合部３０においては、底板部３１の周縁に沿って壁状に防護壁６０を形成してある。防護壁６０は、図７（ａ）に示すように、カバー側係合部５０がパネル側係合部３０に係合した状態で、そのカバー側係合部５０の側板部５２、５３と前板部５４のそれぞれに対向する位置に立設されている。そして、カバー側係合部５０の底部に対向する位置には、底板部３１が設けられている。つまり、不正工具の侵入が想定されるカバー側係合部５０の底部の周囲は、防護壁６０及び底板部３１により取り囲まれた状態となっている。このため、そのカバー側係合部５０の底部に不正工具を挿入しようとしても、防護壁６０及び底板部３１が防護しているために挿入できない。よって、不正工具の侵入を阻止でき、コネクタカバー５が不正に取り外される事態を回避して、「打ち込み機」等の不正部品が接続される事態を効果的に防止できる。
【００３１】
また、遊技機メーカーがメンテナンスを行う際には、コネクタカバー５を取り外す必要があるが、この場合は、コネクタカバー５の本体５ｂとカバー側係合部５０との間に形成された切断用凸部５ｃを切断することにより、コネクタカバー５を中継基板２等から取り外すことができる。
切断用凸部５ｃは、コネクタカバー５のカバー側係合部５０を当該コネクタカバー５の本体５ｂから分割するために設けられた指定切断部であって、図６（ａ）、（ｂ）、（ｄ）及び図７（ａ）等に示すように、コネクタカバー５の表面から矩形凸状に隆起した中空の部位となっており、ニッパーなどの工具を用いて切断可能となっている。
【００３２】
切断用凸部５ｃを、例えば図７（ａ）に示すＴの方向にそれぞれ切断すると、コネクタカバー５は、図７（ｂ）に示すように、本体５ｂとカバー側係合部５０とに分割される。そして、本体５ｂは、上辺部を支点として基板カバー４から離間する方向に回動させるとともに、係止凸部５ａを被係止孔４ｂから抜き取ることで、基板カバー４から取り外すことができる（図７（ｃ）参照）。
【００３３】
一方、カバー側係合部５０は、裏面パネル３のパネル側係合部３０に係合しているため、そのままでは、取り外せない。そこで、防護壁６０の内部において、そのカバー側係合部５０を、裏面パネル３又はコネクタカバー５の下辺部から下方向外方（図７（ｂ）に示すＳ方向）へ移動（スライド）させることにより、基板カバー４から取り外すことができる。
このように、カバー側係合部５０をスライドにより取り外すことが可能となっている理由は、次の通りである。
カバー側係合部５０の凸部５６は、前述したように、当該カバー側係合部５０の内面に凸設形成されている。具体的には、凸部５６は、側板部５２及び側板部５３のそれぞれに穿設された開口部５５の下辺部内側のみに凸設形成されている（図６（ａ）〜（ｃ）参照）。
一方、パネル側係合部３０の係合爪部３２は、底板部３１からカバー側係合部５０に向かう方向に立設形成されており、当該係合爪部３２にカバー側係合部５０を覆い被せたときに、その係合爪部３２の鉤状部３３がカバー側係合部５０の凸部５６に対向し、かつ係合するようになっている（図４、図５（ｂ）参照）。そして、この係合爪部３２の鉤状部３３は、凸部５６にのみ係合し、開口部５５の下辺部（凸部５６の上面を除く）及び開口部５５の周面には係合しないようになっている。つまり、係合爪部３２の鉤状部３３は、カバー側係合部５０の内面から凸設された凸部５６に対してのみ係合し、この凸部５６以外に対して係合しない状態となっている。
このため、板状部の内面から凸部５６が凸設した方向に対して直交する方向で、なおかつ、係合爪部３２の鉤状部３３が係合する凸部５６の係合面５６１（図６（ｂ）、（ｃ）参照）に対して平行な方向（Ｓ方向）にカバー側係合部５０をスライドさせると、係合爪部３２の鉤状部３３が、開口部５５の周面に当接することなく、凸部５６から離脱できるため、そのスライドが可能となる。
【００３４】
さらに、パネル側係合部３０の係合爪部３２とカバー側係合部５０の凸部５６とを係合した場合においては、カバー側係合部５０の前板部５４の表面とパネル側係合部３０の防護壁６０の内側面（前板部５４の表面に対向する面）との間に、空間が設けられる。そして、その空間のスライド方向の長さは、少なくとも、鉤状部３３と凸部５６とが係合したときの鉤状部３３の側部（基板収容部３ａから遠い方の側部）と凸部５６の側部（本体５ｂに近い方の側部）との距離よりも長くなっている。これにより、そのスライドを行ったときに凸部５６への鉤状部３３の係合が確実に解除されて、カバー側係合部５０の取り外しが可能となる。
【００３５】
なお、パネル側係合部３０においては、二つの係合爪部３２ａ、３２ｂの両側部をそれぞれ連結するように形成された補強部３４を設けることができる（図４、図５（ｃ）参照）。この補強部３４を設けることにより、係合爪部３２の機械的強度を向上させ、外力を受けても弾性変形しないようにしている。このため、例えば、開口部５５にマイナスドライバなどの工具を挿入して係合爪部３２を押し曲げようとしても補強部３４がリブの役割を果たして変形しないので、この係合爪部３２による凸部５６への係合が維持される。このように、開口部５５に不正工具を挿入しても係合爪部３２と凸部５６との係合を解除できないことから、コネクタカバー５の不正な取り外しを阻止できる。
ただし、開口部５５は、凸部５６を形成する際に金型を離脱可能とするために設けられた穿孔部分である反面、前述したように、不正工具を挿入する対象となる可能性があることから、この開口部５５を閉塞する構造を設けることが望ましい。
【００３６】
また、切断用凸部５ｃは、一度切断すると、切断前の状態に復元することは困難である。このことから、不正に切断用凸部５ｃが切断された場合は、その切断状態を痕跡として残すことができ、不正行為が行われたことを確実に発見できる。
なお、パネル側係合部３０は、裏面パネル３（ベース部材）に形成され、カバー側係合部５０に係合することから、「ベース側係合部」としての機能を有している。
【００３７】
さらに、カバー側係合部５０には、図８（ａ）、（ｂ）に示すように、防護壁６０により囲まれた空間のうちカバー側係合部５０が存在しない部分を閉塞するフランジ５７を設けることができる。
このフランジ５７は、カバー側係合部５０の前板部５４の表面から直交方向（スライド方向）に延設された板状の部位である。
このフランジ５７を設けることにより、防護壁６０の内側への不正工具の侵入を阻止できるので、中継基板２への不正アクセスを確実に防止できる。
しかも、不正行為者が不正工具を侵入させるためにフランジ５７を折り曲げたり切除したりすると、その痕跡が残るため、不正行為が行われたことを確実に発見できる。
【００３８】
なお、中継基板２をメンテナンスする場合には、まず、切断用凸部５ｃをニッパーなどの工具を用いて切断して本体５ｂとカバー側係合部５０とを分割し、本体５ｂを基板カバー４から取り外し、フランジ５７を、折り曲げるなどして切除する。これにより、防護壁６０により囲まれた空間のうちフランジ５７が存在していた部分は、そのフランジ５７による閉塞から開放され、この空間がカバー側係合部５０を移動可能な空間として確保できる。よって、コネクタカバー５の本体５ｂから分割されたカバー側係合部５０を、図７（ｂ）に示すＳ方向（何も存在しない空間に向かう方向）にスライドさせて取り外すことができる。
【００３９】
また、図７等においては、カバー側係合部５０の直方体形状の大きさを、防護壁６０により囲まれた空間のうちの一部を占める大きさとしているが、これに限るものではなく、図９（ａ）、（ｂ）に示すように、防護壁６０により囲まれた空間の全体を占める大きさとすることができる。
カバー側係合部５０をこのような形状とすることにより、防護壁６０の内側全体がカバー側係合部５０で閉塞された状態となるため、不正工具の侵入をより困難なものにして、中継基板２への不正アクセスを確実に防止できる。
また、中継基板２をメンテナンスする場合には、切断用凸部５ｃを切断して本体５ｂとカバー側係合部５０とを分割し、本体５ｂを基板カバー４から取り外し、カバー側係合部５０を、図７（ｂ）に示すＳ方向とは反対の方向にスライドさせることにより取り外すことができる。
【００４０】
以上説明したように、本発明の遊技機１によれば、裏面パネル３とコネクタカバー５とを係合する第二係合部において、カバー側係合部５０の周囲を囲む位置に防護壁６０を設けたので、その第二係合部に対して不正工具を挿入するという行為を、防護壁６０により阻止できる。これにより、コネクタカバー５の不正な取り外しや不正部品の接続を困難なものとすることができる。
また、コネクタカバー５の本体５ｂとカバー側係合部５０との間に切断用凸部５ｃを設け、これをニッパーなどの剪断工具により切断して、コネクタカバー５の本体５ｂとカバー側係合部５０とを分割することとしたので、その切断用凸部５ｃを不正に切断する行為が行われた場合には、不正行為の痕跡を残すことができ、その痕跡を確認可能とすることができる。
【００４１】
さらに、コネクタカバー５の取り外す手法として、切断用凸部５ｃの切除に加え、カバー側係合部５０をスライドさせて取り外すという、施錠的構造を採用したことにより、切除動作を複雑にさせたので、不正行為をより困難にしている。また、不正の痕跡が容易に確認できる。
しかも、第一係合部と第二係合部においては、挿入又は嵌合により、それら係合を行うこととしたので、コネクタカバー５の取り付けやメンテナンスにおける作業効率を高めることができる。
また、第一係合部と第二係合部においては、クサビなどの部品を使用していないので、部品点数が少なくでき、安価に抑えることができる。
【００４２】
以上、本発明の遊技機の好ましい実施形態について説明したが、本発明に係る遊技機は上述した実施形態にのみ限定されるものではなく、本発明の範囲で種々の変更実施が可能であることは言うまでもない。
例えば、上述した実施形態では、裏面パネル３や基板カバー４とコネクタカバー５とを係合する係合部３０、５０を例に挙げて説明したが、本発明を適用可能な構成は、これに限るものではなく、例えば、制御部１３０が収容されるベース部材（図示せず）と、その制御部１３０を覆うカバーとの係合部にも、本発明を適用できる。
【００４３】
また、上述した実施形態では、係止凸部５ａ、被係止孔４ｂ、パネル側係合部３０、カバー側係合部５０がそれぞれ二つずつ設けてあるが、二つずつに限るものではなく、例えば、一つずつ、三つずつ、あるいはそれ以上設けることもできる。
さらに、上述した実施形態では、フランジ５７をカバー側係合部５０の前板部５４に設けることとしたが、これに限るものではなく、防護壁６０の内面に設けることもできる。
また、図７（ｂ）においては、カバー側係合部５０のスライド方向を図示したＳ方向としたが、Ｓ方向に限るものではなく、このＳ方向とは逆の方向をスライド方向とすることもできる。
【産業上の利用可能性】
【００４４】
本発明は、所定の基板を開閉不能に封止する基板封印装置を備える遊技機に広く利用することができる。
【符号の説明】
【００４５】
１  基板封印装置
２  中継基板
２ｃ  コネクタ
３  裏面パネル（ベース部材）
３０  パネル側係合部
３１  底板部
３２（３２ａ、３２ｂ）  係合爪部
３３（３３ａ、３３ｂ）  鉤状部
４  基板カバー
５  コネクタカバー
５ｂ  コネクタカバー本体
５ｃ  切断用凸部
５０  カバー側係合部
５６（５６ａ、５６ｂ）  凸部
５７  フランジ
６０  防護壁
１００  スロットマシン（遊技機）
【図１】
0005830746.tif 000002
【図２】
0005830746.tif 000003
【図３】
0005830746.tif 000004
【図４】
0005830746.tif 000005
【図５】
0005830746.tif 000006
【図６】
0005830746.tif 000007
【図７】
0005830746.tif 000008
【図８】
0005830746.tif 000009
【図９】
0005830746.tif 000010